(57)【特許請求の範囲】
【請求項１】
液晶表示部と前記液晶表示部に光を照射するバックライト光源部とからなる液晶パネルと、その液晶パネルの背面に配置されたデジタイザとを備えた画像表示装置であって、
前記バックライト光源部は、光源、および積層された反射シートと前記光源からの光が端面に照射される導光板とプリズムシートを有するとともに、前記反射シートと平行な面を有する基板を有し、前記光源を前記基板に載置し、
前記液晶パネルの周縁部の少なくともひとつの端部に、２つの突き出し部により形成された開口部が前記液晶パネルの方向に開口するように配置されたコの字形状の非磁性材料よりなる第１放熱板を設け、
前記第１放熱板の一方の突き出し部と前記基板を熱的に接合するとともに、その第１放熱板の前記開口部が前記デジタイザの端部を覆うように構成したことを特徴とする画像表示装置。
【請求項２】
前記光源が載置された基板は前記反射シートであり、光源の載置位置は画像表示装置の有効表示領域から延伸された前記反射シートの延伸部分の表面であることを特徴とする請求項１に記載の画像表示装置。
【請求項３】
前記反射シートと前記第１放熱板の一方の突き出し部を熱的に接合したことを特徴とする請求項２に記載の画像表示装置。
【請求項４】
前記第１放熱板の一方の突き出し部に、第２放熱板を熱的に接合したことを特徴とする請求項１に記載の画像表示装置。
【請求項５】
前記光源が載置された基板は、前記第１放熱板の一方の突き出し部であることを特徴とする請求項１に記載の画像表示装置。
【請求項６】
開口部が前記デジタイザの端部を覆う第１放熱板の２つの突き出し部の先端は、画像表示装置の有効表示領域の外側に位置するように構成したことを特徴とする請求項１から請求項５のいずれかに記載の画像表示装置。
【請求項７】
バックライト光源部の光源は、ＬＥＤからなることを特徴とする請求項１から請求項６のいずれかに記載の画像表示装置。
【発明の詳細な説明】
【技術分野】
【０００１】
本発明は、バックライト光源を備えた画像表示装置に関するものであり、特に電磁式のデジタイザを備えた画像表示装置に関する。
【背景技術】
【０００２】
近年の画像表示装置は、液晶を用いたものが主流であり、ガラス上にＴＦＴを形成し液晶を封じ込んだ液晶パネルに背面に設置されたバックライトから照射された光を透過させて画像を表示するという方法を用いている。それ故、明るく美しい高品質画像を得ようとすると、バックライトは明るく、且つ画面上で均一でなければならない。
【０００３】
従来、このような液晶パネルを用いた画像表示装置のバックライトの光源には、冷陰極管が用いられて来たが、近年の技術的な進歩によってＬＥＤの効率と輝度が著しく向上し、冷陰極管並の効率と輝度が得られるようになってきた。そのために、特に小型の液晶表示装置のバックライト光源としてＬＥＤが用いられるようになってきた。
【０００４】
しかしながら、バックライト光源としてＬＥＤを用いる場合、冷陰極が線状に発光するのに対して、ＬＥＤの場合は点状に発光する。そのために、冷陰極管と同等の照度を得ようとすると、低出力のＬＥＤを多数用いるか、もしくは高出力のＬＥＤを用いて光の分散を効率的に行うかのどちらかを選択しなくてはならない。
【０００５】
コスト、重量などの点から光源として用いるＬＥＤの数はできるだけ削減しなくてはならないが、ＬＥＤの個数を減らすと必然的にＬＥＤ一個あたりの輝度を上げなくてはならないため、ＬＥＤ一個あたりの入力が増加し、それに伴う発熱がＬＥＤ周辺に集中して起きる。このような発熱はさらにＬＥＤの温度を上昇させ、ＬＥＤの信頼性や寿命を損なうばかりでなく、周辺部材にも悪影響を及ぼすようになる。このようなＬＥＤの発熱に対する課題を解決する例が開示されている（例えば、特許文献１、２参照）。
【０００６】
一方、これらの画像表示装置を用いた情報処理装置では、マンマシンインターフェースとして、タッチパネルやデジタイザを用い、液晶画面の位置を検出する機能を有する対話式の画像表示装置などが多くなってきている。
【特許文献１】特開２００２−２２９０２２号公報
【特許文献２】特開２００３−０７６２８７号公報
【発明の開示】
【発明が解決しようとする課題】
【０００７】
特許文献１、特許文献２には、ＬＥＤからの放熱のみに着目し、ＬＥＤから発生する熱を広い面積を有する金属などの伝導体に導きその表面から放熱するように、金属薄膜や金属フレーム、あるいは軟質金属シートや金属フレームを設ける例が開示されている。
【０００８】
しかしながら、デジタイザを液晶パネルの背面に配置し、液晶画面の前面から電磁ペンによって位置を検出しようとすると次のような課題が生じる。すなわち、液晶画面の有効表示領域内に放熱板などの磁石や磁場を変形させる金属が存在すると、入力位置検出に異常が発生し誤差が生じるという課題がある。
【０００９】
そこで本発明は、このような課題を解決して、デジタイザへの入力を確実に行い、なおかつ、ＬＥＤから発生する熱の放熱を十分に行うことができ、高輝度で長寿命の画像表示装置を実現することを目的としている。
【課題を解決するための手段】
【００１０】
上記の目的を達成するために、本発明の画像表示装置は、液晶パネルと、光源を有するバックライト光源部と、液晶パネルの背面に配置されたデジタイザとを備えた画像表示装置であって、バックライト光源部の光源を反射シートと平行な面を有する基板に載置し、液晶パネルの周縁部の少なくともひとつの端部に液晶パネルの方向に開口する開口部を有するコの字形状の非磁性材料よりなる第１放熱板を配置し、第１放熱板の一方の突き出し部と前記基板を接合固定するとともに、第１放熱板の開口部がデジタイザの端部を覆うように配置している。
【００１１】
このような構成によると、デジタイザには電磁的な歪みが生じないため、画像表示装置の前面から電磁スタイラスなどによって指示された位置情報が正確に検出され、さらに、光源から発生する熱を第１放熱板に伝熱させて外気に放出させることができる。
【００１２】
さらに、基板を反射シートとし、ＬＥＤを画像表示装置の有効表示領域から延伸された反射シートの延伸部分の表面に載置するように構成することが望ましい。このような構成によると、画像表示装置として高輝度なバックライト光源部を実現することができる。
【００１３】
さらに、ＬＥＤを配置した基板の下面と第１放熱板とを熱伝導性の接着剤を介して接着固定するという構成によれば、ＬＥＤからの熱を基板と熱伝導性の接着剤を介して第１放熱板に効率的に伝熱することができるとともに、第１放熱板から効率的に放熱し、高出力のＬＥＤを用いた高輝度、長寿命の画像表示装置を実現することができる。
【００１４】
さらに、基板の上面に第１放熱板を配置し、第１放熱板にＬＥＤを配置してもよい。このような構成によれば、ＬＥＤからの熱を直接第１放熱板に伝熱させることができ、さらに高出力のＬＥＤを用いた高輝度、長寿命の画像表示装置を実現することができる。
【００１５】
さらに、ＬＥＤを配置した基板の下面にＬ字形状の第２放熱板を配置するとともに、第２放熱板と第１放熱板とを熱伝導性の接着剤を介して接着固定してもよい。このような構成によれば、ＬＥＤからの熱を第２放熱板から第１放熱板に伝熱しながら、この第１放熱板から放熱するとともに、第２放熱板からも効率的に放熱することができ、さらに、高出力のＬＥＤを用いた高輝度、長寿命の画像表示装置を実現することができる。
【００１６】
さらに、デジタイザの端部を覆う第１放熱板を画像表示装置の有効表示領域の外側に位置するように構成することが望ましい。このような構成によれば、有効表示領域内部に、第１放熱板が入り込まないようにしているので、デジタイザに電磁スタイラスから位置を入力する際に、第１放熱板の影響を除くことができ正確に電磁スタイラスからの情報を入力することができる。
【００１７】
第１放熱板が金属材料であることが望ましい。このような構成によれば、銅、アルミニウム、ステンレスなどの金属板などの成型加工によって容易に第１放熱板を実現することができる。
【００１８】
さらに、第２放熱板が金属材料であることが望ましい。このような構成によれば、銅、アルミニウム、ステンレスなどの金属板などの成型加工によって容易に第２放熱板を実現することができる。
【発明の効果】
【００１９】
以上のように、本発明の画像表示装置によれば、デジタイザへの入力を確実に行い、ＬＥＤから発生する熱の放熱を十分に行うことができ、高輝度で長寿命の画像表示装置を実現することができる。
【発明を実施するための最良の形態】
【００２０】
以下、本発明の実施の形態について、図面を参照しながら説明する。
【００２１】
（実施の形態１）
図１は、本発明の実施の形態１における画像表示装置を示す斜視図であり、図２は、図１のＡ-Ａ線部分断面図である。図１に示すように画像表示装置１００は、周縁部が樹脂製の筐体１０１で囲われ、その内部に液晶パネル１０２が設置されている。液晶パネル１０２の裏面には電磁式のデジタイザが配置され、液晶パネル１０２の表示面に電磁スタイラス１０３を近づけると、その位置情報をデジタイザが読み取ることにより必要な情報処理操作などを行うようにしている。なお、液晶パネル１０２は前面ガラス基板と背面ガラス基板とによってサンドイッチされているが本発明の実施の形態では、前面ガラス基板と背面ガラス基板とを省略して図示している。
【００２２】
図２に示すように、液晶パネル１０２は液晶表示部２１０とバックライト光源部２２０とにより構成されている。液晶表示部２１０は射出側偏光板２１１と液晶本体部２１２と入射側偏光板２１３とにより構成されている。また、バックライト光源部２２０は、画像表示装置１００の短手方向片側の端部に配置された光源となるＬＥＤ２２１と、ＬＥＤ２２１から放出される白色光２２２を導く導光板２２３と、導光板２２３の背面に設置された反射シート２２４と、導光板２２３の前面に配置されたプリズムシート２２５とにより構成されている。
【００２３】
ＬＥＤ２２１から出射された白色光２２２は、そのままでは、液晶表示部２１０を均一に光らせることができない。そのため、白色光２２２は導光板２２３に導かれ、導光板２２３の背面に設置された反射シート２２４によって、面上で均一に反射しプリズムシート２２５で液晶本体部２１２に対してほぼ垂直な光となって放出されるようになっている。
【００２４】
この光は、入射側偏光板２１３によって偏光されて、液晶本体部２１２の内部に封入された液晶のねじれ角に応じて射出側偏光板２１１によって出射光が部分的に遮られ、画面上に出てくる光量が変化され、これにより画素毎の階調が決められる。
【００２５】
一方、反射シート２２４の裏側、すなわち、液晶パネル１０２の背面には、反射シート２２４に近接して電磁式誘導式のデジタイザ２２６が設置されており、図１に示す電磁スタイラス１０３からの位置情報を受け取る。
【００２６】
画像表示装置１００の、ＬＥＤ２２１が配置された端部領域Ａの詳細な構成について説明する。本発明の実施の形態１においては、図２に示すように、ＬＥＤ２２１が導光板２２３から端部領域Ａに延伸された反射シート２２４の表面に取り付けられている。すなわち、本発明の実施の形態１では、反射シート２２４と平行な面を有する基板として、延伸された反射シート２２４そのものを用いている。一方、デジタイザ２２６も画像表示装置１００よりもその端部領域Ａ側に延伸されて端部Ｂを形成し、その端部Ｂがコの字形状をした第１放熱板となる非磁性の放熱板２２７の開口部２３０によって挟み込まれた構成になっている。さらに放熱板２２７は突き出し面２２７ａと突き出し面２２７ｂとを有し、突き出し面２２７ａの上面と反射シート２２４とが熱伝導性の両面粘着テープ２２８を介して接合されている。
【００２７】
一般的に、デジタイザ２２６はその端部領域では有効作動しなくなる。そのため、液晶パネル１０２の有効表示領域Ｃ内にその有効作動領域が位置するように、端部Ｂを画像表示装置１００の端部領域Ａに延伸して設けているものである。
【００２８】
放熱板２２７は突き出し面２２７ａと突き出し面２２７ｂと背面２２７ｃとから構成されているが、反射シート２２４と接合している突き出し面２２７ａの長さよりもデジタイザ２２６を挟んだもう一方の突き出し面２２７ｂの長さを長くするも、突き出し面２２７ｂの端部が液晶表示部２１０の有効表示領域Ｃよりも外側となるように構成されている。
【００２９】
本発明の実施の形態１における画像表示装置の有効表示領域Ｃは、図１で示されている液晶パネル１０２の有効表示領域とほぼ等しくなるように構成している。それ故、液晶本体部２１２や導光板２２３などの有効表示領域Ｃ以外の部分は、樹脂あるいはアルミ合金などの筐体１０１によって囲われている。
【００３０】
このように、本発明の実施の形態１における画像表示装置では、電磁誘導式のデジタイザ２２６の端部Ｂを非磁性材料よりなる第１放熱板の突き出し面２２７ａと２２７ｂで両面から挟み込むように構成し、さらに、放熱板２２７のひとつの突き出し面２２７ａに熱伝導性の両面粘着テープ２２８と反射シート２２４を介してＬＥＤ２２１を熱的に接触させている。また、放熱板２２７が画像表示装置１００の有効表示領域Ｃ内に入らないようにしている。
【００３１】
このように、有効表示領域Ｃの内部に、磁性を帯びる可能性のある金属が入り込まないようにしているので、デジタイザ３２６に電磁スタイラス１０３から位置を入力する際に、放熱板２２７によるデジタイザ２２６への磁気的影響を除くことができ、正確に電磁スタイラス１０３からの情報を入力することができる。
【００３２】
また、このような構成によれば、ＬＥＤ２２１から発生する熱は、反射シート２２４、両面粘着テープ２２８、放熱板２２７へと伝熱して放熱板２２７全体に伝導し、画像表示装置１００の背面側に回り込み放熱するようになっているため、効率的に熱を背面側に放出することができる。
【００３３】
また、放熱板２２７は、全体をコの字形状として伝熱面積をできるだけ大きく取るように構成している。すなわち、反射シート２２４側の突き出し面２２７ａとデジタイザ２２６の裏面の突き出し面２２７ｂとの長さを異ならせ、突き出し面２２７ｂは有効表示領域Ｃ内に入らない最大限の長さを確保し、突き出し面２２７ａは導光板２２３に達しない長さとしている。このような構成とすることにより、ＬＥＤ２２１からの熱が導光板２２３の方にはあまり伝導せず、放熱板２２７の背面２２７ｃ、突き出し面２２７ｂの方に伝導して外気に放出され、導光板２２３や反射シート２２４の熱的劣化を抑制することができる。
【００３４】
なお、第１放熱板となる放熱板２２７は非磁性材料であり熱伝導性の高いアルミニウムや銅など用いることができ、さらにステンレス材料などで構成することが望ましい。このように、金属材料で放熱板２２７を形成すると成型加工などによって容易に実現することができるが、例えば熱伝導性に優れた炭素材料や、樹脂材料などで形成してもよい。
【００３５】
また、上記の説明では延伸した反射シート２２４と放熱板２２７の突き出し面２２７ａとを接合する構成としているが、端部領域Ａに反射シート２２４を延伸せずに、樹脂材料などの絶縁物としてその絶縁物上にＬＥＤ２２１を配置する構成としてもよい。
【００３６】
なお、図２に示す本発明の実施の形態１における画像表示装置のように、ＬＥＤ２２１と導光板２２３との中心線をずらし、ＬＥＤ２２１からの照射光が導光板２２３の側面の中心より下部に入射するようにＬＥＤ２２１を低く配置してもよい。すなわち、ＬＥＤ２２１の高さが導光板２２３の厚みよりも小さくなるようにしてもよい。このような構成とすると、反射シート２２４での反射光量がプリズムシート２２５に直接入る光量よりも大きくなり、非常に均一性の高い画面輝度を得ることができる。
【００３７】
このように、本発明の実施の形態１によれば、デジタイザの機能を阻害せずにＬＥＤから発生する熱を効率的に放熱でき、その結果、ＬＥＤへの投入電力を大きくして常に高い輝度を実現する画像表示装置を実現することが可能となる。
（実施の形態２）
図３は、本発明の実施の形態２における画像表示装置を示す部分断面図である。実施の形態２における画像表示装置は実施の形態１で述べた画像表示装置１００と基本構成は同様であり、実施の形態１とは端部領域Ａの構成と筐体の構成が異なる。
【００３８】
図３に示すように、画像表示装置の液晶パネル３０２は液晶表示部３１０とバックライト光源部３２０とにより構成されている。液晶表示部３１０は射出側偏光板３１１と液晶本体部３１２と入射側偏光板３１３とにより構成されている。また、バックライト光源部３２０は、画像表示装置の短手方向片側の端部に配置された光源となるＬＥＤ３２１と、ＬＥＤ３２１から放出される白色光３２２を導く導光板３２３と、導光板３２３の背面に設置された反射シート３２４と、導光板３２３の前面に配置されたプリズムシート３２５とにより構成されている。
【００３９】
ＬＥＤ３２１から出射された白色光３２２は、そのままでは、液晶表示部３１０を均一に光らせることができない。そのため、白色光３２２は導光板３２３に導かれ、導光板３２３の背面に設置された反射シート３２４によって、面上で均一に反射しプリズムシート３２５で液晶本体部３１２に対して垂直な光となって放出されるようになっている。
【００４０】
この光は、入射側偏光板３１３によって偏光されて、液晶本体部３１２の内部に封入された液晶のねじれ角に応じて射出側偏光板３１１によって出射光が部分的に遮られ、画面上に出てくる光量が変化され、これにより画素毎の階調が決められる。
【００４１】
一方、反射シート３２４の裏側には、すなわち、液晶パネル３０２の背面には、反射シート３２４に近接して電磁式誘導式のデジタイザ３２６が設置されており、図１に示す電磁スタイラス１０３からの位置情報を受け取る。
【００４２】
ＬＥＤ３２１が配置された端部領域Ａの詳細な構成について説明する。本発明の実施の形態２でも、デジタイザ３２６が端部領域Ａ側に延伸されて端部Ｂを形成し、その端部Ｂがコの字形状をした第１放熱板となる非磁性の放熱板３２７の開口部３４０によって挟み込まれた構成になっている。放熱板３２７の突き出し面３２７ａの下面が、反射シート３２４と平行な面を有する基板として延伸された反射シート３２４の上面に熱伝導性の両面粘着テープ３２８を介して貼り付けられ、放熱板３２７の突き出し面３２７ａの上面にＬＥＤ３２１が設置されている。またＬＥＤ３２１の上面は押さえ金具３２９によって押さえつけられるように構成され、押さえ金具３２９が筐体３３０に取り付けられている。
【００４３】
一方、放熱板３２７の突き出し面３２７ａと突き出し面３２７ｂとでデジタイザ３２６の端部領域Ｂを挟み込むようにし、反射シート３２４と接合している突き出し面３２７ａは、デジタイザ３２６を挟んだもう一方の突き出し面３２７ｂより短くなるように構成している。しかも、デジタイザ３２６の背面にある突き出し面３２７ｂの長さは、液晶表示部３１０の有効表示領域Ｃの境界よりも外側となるように構成している。このように構成することによって、有効表示領域Ｃの内部に、磁性を帯びる可能性のある金属が入り込まないようにしているので、デジタイザ３２６に電磁スタイラスから位置を入力する際に、磁場が歪まず、デジタイザの位置確度を向上させることができる。
【００４４】
本発明の実施の形態２における画像表示装置によれば、ＬＥＤ３２１は反射シート３２４を介することなく、直接、放熱板３２７の突き出し面３２７ａに取り付けられている。そのため、ＬＥＤ３２１から発生する熱は、直接、放熱板３２７の突き出し面３２７ａに伝熱し、非常に効率的に放熱することができる。
【００４５】
また、ＬＥＤ３２１の上面は押さえ金具３２９によって押さえつけられており、この押さえ金具３２９によってもＬＥＤ３２１からの放熱を促進させ、さらに押さえ金具３２９を取り付けている筐体３３０から外部に放熱することが可能となる。
【００４６】
また、本発明の実施の形態２では、図３に示すように、デジタイザ３２６の裏面で放熱板３２７の突き出し面３２７ｂに沿わせてステンレスなどからなる金属シート３３１を筐体３３０の一部として設けてもよい。このようにすると、放熱板３２７に伝熱した熱を、さらに伝熱面積の大きな金属シート３３１に伝えて放熱することができ、ＬＥＤ３２１の放熱効果を高めることができる。
【００４７】
なお、第１放熱板となる放熱板３２７は非磁性材料であり熱伝導性の高いアルミニウムや銅など用いることができ、さらにステンレス材料などで構成することが望ましい。このように、金属材料で放熱板３２７を形成すると成型加工などによって容易に実現することができるが、例えば熱伝導性に優れた炭素材料や、樹脂材料などで形成してもよい。
【００４８】
このように、本発明の実施の形態２によれば、デジタイザの位置検出精度を向上させることができると同時に、ＬＥＤから発生する熱を非常に広い面積で効率的に放出できるため、ＬＥＤへの入力を大きくすることができ、高輝度のＬＥＤを用いることが可能になる。そのため、非常に輝度が高く、かつ電磁スタイラス１０３により対話入力が可能な画像表示装置を実現することが可能となる。
（実施の形態３）
図４は、本発明の実施の形態３における画像表示装置を示す部分断面図である。実施の形態３における画像表示装置は実施の形態２で述べた画像表示装置と基本構成は同様であり、実施の形態２とは端部領域Ａの構成が異なる。
【００４９】
図４に示すように、画像表示装置の液晶パネル４０２は液晶表示部４１０とバックライト光源部４２０とにより構成されている。液晶表示部４１０は射出側偏光板４１１と液晶本体部４１２と入射側偏光板４１３とにより構成されている。また、バックライト光源部４２０は、画像表示装置の短手方向片側の端部に配置された光源となるＬＥＤ４２１と、ＬＥＤ４２１から放出される白色光４２２を導く導光板４２３と、導光板４２３の背面に設置された反射シート４２４と、導光板４２３の前面に配置されたプリズムシート４２５とにより構成されている。
【００５０】
ＬＥＤ４２１から出射された白色光４２２は、そのままでは、液晶表示部４１０を均一に光らせることができない。そのため、白色光４２２は導光板４２３に導かれ、導光板４２３の背面に設置された反射シート４２４によって、面上で均一に反射しプリズムシート４２５で液晶本体部４１２に対して垂直な光となって放出されるようになっている。
【００５１】
この光は、入射側偏光板４１３によって偏光されて、液晶本体部４１２の内部に封入された液晶のねじれ角に応じて射出側偏光板４１１によって出射光が部分的に遮られ、画面上に出てくる光量が変化され、これにより画素毎の階調が決められる。
【００５２】
ＬＥＤ４２１は、反射シート４２４と平行な面を有する基板として反射シート４２４から延伸した基板の表面に固定され、さらにＬＥＤ４２１が配置された反射シート４２４の基板裏面には、アルミニウムやステンレスなどの非磁性金属よりなる第２放熱板となる放熱板４２６が固定されている。放熱板４２６はその放熱面積を増大させるようにＬ字形状に形成されている。Ｌ字の一方の面には熱伝導性の両面粘着テープ４２８によって、同じくアルミニウムやステンレスなどの非磁性金属よりなるコの字形状の第１放熱板である放熱板４２７が貼り合わされており、放熱板４２７の突き出し面４２７ａと突き出し面４２７ｂとでデジタイザ４３０の端部領域Ｂを挟み込むように構成している。
【００５３】
また、本発明の実施の形態３においても、実施の形態１あるいは実施の形態２と同様に、放熱板４２７の反射シート４２４と接合している突き出し面４２７ａは、デジタイザ４３０を挟んだもう一方の突き出し面４２７ｂより短く形成されている。しかも、デジタイザ４３０の背面にある突き出し面４２７ｂの長さは、液晶パネル４０２の有効表示領域Ｃの境界よりも外側となるように構成している。このように構成することによって、有効表示領域Ｃの内部に、磁性を帯びる可能性のある金属が入り込まないようにしているので、デジタイザ４３０に電磁スタイラスから位置を入力する際に、放熱板４２６、４２７によるデジタイザ４３０への磁気的影響を除くことができ、正確に電磁スタイラス１０３からの情報を入力することができる。
【００５４】
また、これらの放熱板４２６、４２７やＬＥＤ４２１などの部材は、外部にむき出しにならないように筐体４３１によって覆われ、また反射シート４２４から延伸した基板の表面に固定されたＬＥＤ４２１の上面は筐体４３１に取り付けられた押さえ金具４３２により押えつけられている。
【００５５】
このように、本発明の実施の形態３では、Ｌ字形状の第２放熱板となる放熱板４２６をさらに設けている。そのため、ＬＥＤ４２１からの放熱を促進し、ＬＥＤ４２１の出力を高めることができる。また、Ｌ字形状をした放熱板４２６におけるＬＥＤ４２１の配置側の面と異なる面や、放熱板４２７の背面４２７ｃなどに放熱フィンを設ける構成として放熱効果をさらに高めることも可能である。
【００５６】
このように本発明の実施の形態３によれば、デジタイザの位置検出精度を向上させることができると同時に、ＬＥＤから発生する熱を非常に広い面積で効率的に放出できるため、ＬＥＤへの入力を大きくすることができ、高輝度のＬＥＤを用いることが可能になる。そのため、非常に輝度が高く、かつ長寿命の画像表示装置を実現することが可能となる。
【００５７】
なお、本発明はバックライト光源としてＬＥＤを用いた場合について説明したが、他の点光源を用いても、光源からの放熱とデジタイザによる情報処理を正確に行うことが可能となる。
【産業上の利用可能性】
【００５８】
本発明による画像表示装置は、光源からの放熱を効率的に行うとともに、デジタイザの磁気的な歪みが少なく正確な位置情報を入力できるため、携帯用の情報端末の画像表示装置などとして有用である。
【図面の簡単な説明】
【００５９】
【図１】本発明の実施の形態１における画像表示装置を示す斜視図
【図２】図１におけるＡ−Ａ線の部分断面図
【図３】本発明の実施の形態２における画像表示装置の部分断面図
【図４】本発明の実施の形態３における画像表示装置の部分断面図
【符号の説明】
【００６０】
１００    画像表示装置
１０１，３３０，４３１    筐体
１０２，３０２，４０２    液晶パネル
１０３    電磁スタイラス
２１０，３１０，４１０    液晶表示部
２１１，３１１，４１１    射出側偏光板
２１２，３１２，４１２    液晶本体部
２１３，３１３，４１３    入射側偏光板
２２０，３２０，４２０    バックライト光源部
２２１，３２１，４２１    ＬＥＤ
２２２，３２２，４２２    白色光
２２３，３２３，４２３    導光板
２２４，３２４，４２４    反射シート
２２５，３２５，４２５    プリズムシート
２２６，３２６，４３０    デジタイザ
２２７，３２７，４２７    （第１）放熱板
２２７ａ，３２７ａ，４２７ａ，２２７ｂ，３２７ｂ，４２７ｂ    突き出し面
２２７ｃ，４２７ｃ    背面
２２８，３２８，４２８    両面粘着テープ
２３０，３４０    開口部
３２９，４３２    押さえ金具
３３１    金属シート
４２６    （第２）放熱板
【図１】
0005104426.tif 000002
【図２】
0005104426.tif 000003
【図３】
0005104426.tif 000004
【図４】
0005104426.tif 000005